(57)【要約】【課題】高強度化と軽量化とを両立できるバンパリインフォースメントを得る。【解決手段】車体前後方向内側で車幅方向に延在されるとともに、車幅方向外側よりも車幅方向内側が車体前後方向の深さが深くなる断面ハット型形状に形成されたインナ部材２２と、車体前後方向外側で車幅方向に延在されるとともに、車幅方向内側よりも車幅方向外側が車体前後方向の深さが深くなる断面ハット型形状に形成されたアウタ部材３２と、インナ部材２２及びアウタ部材３２がそれぞれ接合され、インナ部材２２及びアウタ部材３２とでそれぞれ閉断面形状を構成する中板１８と、を備えたバンパリインフォースメント２０とする。【選択図】図１
2015123886.tif 000002
【特許請求の範囲】
【請求項１】
車体前後方向内側で車幅方向に延在されるとともに、車幅方向外側よりも車幅方向内側が車体前後方向の深さが深くなる断面ハット型形状に形成されたインナ部材と、
車体前後方向外側で車幅方向に延在されるとともに、車幅方向内側よりも車幅方向外側が車体前後方向の深さが深くなる断面ハット型形状に形成されたアウタ部材と、
前記インナ部材及び前記アウタ部材がそれぞれ接合され、前記インナ部材及び前記アウタ部材とでそれぞれ閉断面形状を構成する中板と、
を備えたバンパリインフォースメント。
【請求項２】
前記インナ部材及び前記アウタ部材は、繊維強化樹脂材料で成形されていることを特徴とする請求項１に記載のバンパリインフォースメント。
【請求項３】
前記インナ部材及び前記アウタ部材の繊維の配向が、車幅方向とされていることを特徴とする請求項２に記載のバンパリインフォースメント。
【請求項４】
車体の前部側で、車体前後方向に延在する左右一対のフロントサイドメンバと、
前記左右一対のフロントサイドメンバの車体前方側に架設された請求項１〜請求項３の何れか１項に記載のバンパリインフォースメントと、
を備えた車体前部構造。
【発明の詳細な説明】
【技術分野】
【０００１】
本発明は、バンパリインフォースメントと、それを備えた車体前部構造に関する。
【背景技術】
【０００２】
バンパリインフォースメントの車幅方向中央部に補強部材を別途設けて、衝突時におけるバンパリインフォースメントの変位量を低く抑えた構造は、従来から知られている（例えば、特許文献１参照）。
【先行技術文献】
【特許文献】
【０００３】
【特許文献１】特開２００４−２０３０６６号公報
【発明の概要】
【発明が解決しようとする課題】
【０００４】
しかしながら、バンパリインフォースメントに補強部材を別途設ける構造であると、バンパリインフォースメントの重量が増加してしまう。このように、バンパリインフォースメントの高強度化と軽量化とを両立させる構造には、改善の余地がある。
【０００５】
そこで、本発明は、高強度化と軽量化とを両立できるバンパリインフォースメントと、それを備えた車体前部構造を得ることを目的とする。
【課題を解決するための手段】
【０００６】
上記の目的を達成するために、本発明に係る請求項１に記載のバンパリインフォースメントは、車体前後方向内側で車幅方向に延在されるとともに、車幅方向外側よりも車幅方向内側が車体前後方向の深さが深くなる断面ハット型形状に形成されたインナ部材と、車体前後方向外側で車幅方向に延在されるとともに、車幅方向内側よりも車幅方向外側が車体前後方向の深さが深くなる断面ハット型形状に形成されたアウタ部材と、前記インナ部材及び前記アウタ部材がそれぞれ接合され、前記インナ部材及び前記アウタ部材とでそれぞれ閉断面形状を構成する中板と、を備えたことを特徴としている。
【０００７】
請求項１に記載の発明によれば、インナ部材が、車幅方向外側よりも車幅方向内側が車体前後方向の深さが深くなる断面ハット型形状に形成され、アウタ部材が、車幅方向内側よりも車幅方向外側が車体前後方向の深さが深くなる断面ハット型形状に形成されている。
【０００８】
ここで、例えば車両がポールに前面（又は後面）衝突し、バンパリインフォースメントの車幅方向略中央部に衝突荷重が入力されると、車幅方向内側におけるアウタ部材には、その延在方向に沿った圧縮力が作用し、車幅方向内側におけるインナ部材には、その延在方向に沿った引張力が作用する。そして、車幅方向外側におけるアウタ部材には、その延在方向に沿った引張力が作用し、車幅方向外側におけるインナ部材には、その延在方向に沿った圧縮力が作用する。
【０００９】
しかしながら、インナ部材の車幅方向内側は、車幅方向外側よりも深さの深い断面ハット型形状に形成されているため、その延在方向に沿った引張力に対する耐力が高い。同様に、アウタ部材の車幅方向外側は、車幅方向内側よりも深さの深い断面ハット型形状に形成されているため、その延在方向に沿った引張力に対する耐力が高い。したがって、車体前後方向から入力される衝突荷重に対するバンパリインフォースメントの引張変形に対する強度が向上される。
【００１０】
なお、インナ部材とアウタ部材とは中板を介して接合されているため、インナ部材とアウタ部材とが直接接合されている構成に比べて、バンパリインフォースメントが更に高強度化される。そして、インナ部材の形状及びアウタ部材の形状を変更するだけで、バンパリインフォースメントに別途補強部材を設ける必要がないので、バンパリインフォースメントの重量が増加することもない。つまり、本発明によれば、バンパリインフォースメントの高強度化と軽量化とが両立される。
【００１１】
また、請求項２に記載のバンパリインフォースメントは、請求項１に記載のバンパリインフォースメントであって、前記インナ部材及び前記アウタ部材は、繊維強化樹脂材料で成形されていることを特徴としている。
【００１２】
請求項２に記載の発明によれば、インナ部材及びアウタ部材が、繊維強化樹脂材料で成形されている。繊維強化樹脂材料は、例えば同じ強度とされた金属材料に比べて軽い。したがって、バンパリインフォースメントが更に軽量化される。
【００１３】
また、請求項３に記載のバンパリインフォースメントは、請求項２に記載のバンパリインフォースメントであって、前記インナ部材及び前記アウタ部材の繊維の配向が、車幅方向とされていることを特徴としている。
【００１４】
請求項３に記載の発明によれば、インナ部材及びアウタ部材の繊維の配向が、車幅方向とされている。つまり、インナ部材及びアウタ部材の繊維の配向が、それぞれの延在方向に沿っている。したがって、インナ部材及びアウタ部材のそれぞれの延在方向に沿った引張力に対する耐力が更に高められる。つまり、バンパリインフォースメントが更に高強度化される。
【００１５】
また、本発明に係る請求項４に記載の車体前部構造は、車体の前部側で、車体前後方向に延在する左右一対のフロントサイドメンバと、前記左右一対のフロントサイドメンバの車体前方側に架設された請求項１〜請求項３の何れか１項に記載のバンパリインフォースメントと、を備えたことを特徴としている。
【００１６】
請求項４に記載の発明によれば、車体の前部側で、車体前後方向に延在する左右一対のフロントサイドメンバの車体前方側に、請求項１〜請求項３の何れか１項に記載のバンパリインフォースメントが架設されている。つまり、本発明によれば、フロントバンパリインフォースメントの高強度化と軽量化とが両立される。
【発明の効果】
【００１７】
以上、説明したように、請求項１に係る発明によれば、バンパリインフォースメントの高強度化と軽量化とを両立させることができる。
【００１８】
請求項２に係る発明によれば、バンパリインフォースメントを更に軽量化することができる。
【００１９】
請求項３に係る発明によれば、バンパリインフォースメントを更に高強度化することができる。
【００２０】
請求項４に係る発明によれば、フロントバンパリインフォースメントの高強度化と軽量化とを両立させることができる。
【図面の簡単な説明】
【００２１】
【図１】本実施形態に係るフロントバンパリインフォースメントを示す平面図である。
【図２】本実施形態に係るフロントバンパリインフォースメントの一部を拡大して示す平面図である。
【図３】（Ａ）図２のＸ−Ｘ線矢視断面図である。（Ｂ）図２のＹ−Ｙ線矢視断面図である。
【図４】（Ａ）中板を備えていないフロントバンパリインフォースメントの図３（Ａ）に相当する断面図である。（Ｂ）中板を備えていないフロントバンパリインフォースメントの図３（Ｂ）に相当する断面図である。
【図５】（Ａ）中板を備えていない別のフロントバンパリインフォースメントの一部を拡大して示す平面図である。（Ｂ）図５（Ａ）のＸ−Ｘ線矢視断面図である。（Ｃ）図５（Ａ）のＹ−Ｙ線矢視断面図である。
【発明を実施するための形態】
【００２２】
以下、本発明に係る実施の形態について、図面を基に詳細に説明する。なお、説明の便宜上、各図において適宜示す矢印ＵＰを車体上方向、矢印ＦＲを車体前方向、矢印ＯＵＴを車幅方向外側とする。また、以下の説明で、特記なく上下、前後、左右の方向を用いる場合は、車体上下方向の上下、車体前後方向の前後、車体左右方向（車幅方向）の左右を示すものとする。更に、本実施形態では、車体前側のバンパリインフォースメント、即ちフロントバンパリインフォースメント２０を例に採って説明する。
【００２３】
図１に示されるように、車体の前部側には、車体前後方向に延在する左右一対のフロントサイドメンバ１２が配置されている。車体前部構造１０を構成する各フロントサイドメンバ１２は、閉断面形状に金属材料で成形されており、各フロントサイドメンバ１２の前端部には、撃吸収部材としてのクラッシュボックス１４が同軸的に取り付けられている。
【００２４】
各クラッシュボックス１４は、閉断面形状に金属材料で成形されており、各クラッシュボックス１４の前端部には、車体前部構造１０を構成するフロントバンパリインフォースメント２０が架設されている。詳細には、フロントバンパリインフォースメント２０の車幅方向外側端部は、車体後方側へ僅かに屈曲されており、その屈曲されている部分（以下「屈曲部」という）１６の車幅方向内側部分に、それぞれクラッシュボックス１４の前端部が取り付けられている。
【００２５】
図１〜図３に示されるように、フロントバンパリインフォースメント２０は、炭素繊維強化樹脂材料（ＣＦＲＰ）で成形されており、車体前後方向内側で車幅方向に延在されたインナ部材２２と、車体前後方向外側で車幅方向に延在されたアウタ部材３２と、インナ部材２２とアウタ部材３２との間に設けられた平板状の中板１８と、を備えている。
【００２６】
インナ部材２２は、車幅方向外側よりも車幅方向内側が車体前後方向の深さが深くなる断面ハット型形状に形成されている。詳細に説明すると、インナ部材２２は、図３に示されるように、上壁２６と下壁２８と後壁３０とを有するインナ部材本体２４と、上壁２６及び下壁２８の前端部からそれぞれ上方向及び下方向に延在された上フランジ部２６Ａ及び下フランジ部２８Ａと、を備えている。
【００２７】
そして、図１、図２に示されるように、屈曲部１６よりも車幅方向内側（左右の屈曲部１６の間）の上壁２６及び下壁２８の車体前後方向の長さＬ１が、屈曲部１６よりも車幅方向外側の上壁２６及び下壁２８の車体前後方向の長さＬ２よりも長くされている。換言すれば、屈曲部１６付近において、車幅方向内側から車幅方向外側へ向けて徐々に長さＬ１が小さくされて、長さＬ２になっている。
【００２８】
アウタ部材３２は、車幅方向内側よりも車幅方向外側が車体前後方向の深さが深くなる断面ハット型形状に形成されている。詳細に説明すると、アウタ部材３２は、図３に示されるように、上壁３６と下壁３８と前壁４０とを有するアウタ部材本体３４と、上壁３６及び下壁３８の後端部からそれぞれ上方向及び下方向に延在された上フランジ部３６Ａ及び下フランジ部３８Ａと、を備えている。
【００２９】
そして、図１、図２に示されるように、屈曲部１６よりも車幅方向外側の上壁３６及び下壁３８の車体前後方向の長さＬ４が、屈曲部１６よりも車幅方向内側（左右の屈曲部１６の間）の上壁３６及び下壁３８の車体前後方向の長さＬ３よりも長くされている。換言すれば、屈曲部１６において、車幅方向内側から車幅方向外側へ向けて徐々に長さＬ３が大きくされて、長さＬ４になっている。
【００３０】
そして、図３に示されるように、インナ部材２２の上フランジ部２６Ａ及び下フランジ部２８Ａが、それぞれ中板１８の後面における上端部及び下端部に接着剤で接合され、アウタ部材３２の上フランジ部３６Ａ及び下フランジ部３８Ａが、それぞれ中板１８の前面における上端部及び下端部に接着剤によって接合されている。これにより、２つの閉断面形状を有するフロントバンパリインフォースメント２０が構成されるようになっている。
【００３１】
なお、フロントバンパリインフォースメント２０の車幅方向内側における車体前後方向の長さは、車幅方向外側における車体前後方向の長さと同じか、それよりも僅かに大きくされている。つまり、中板１８の板厚と上フランジ部２６Ａ、３６Ａ及び下フランジ部２８Ａ、３８Ａの板厚を除き、長さＬ１＋長さＬ３≧長さＬ２＋長さＬ４となっている。そして、長さＬ１＞長さＬ３となっており、長さＬ４≧長さＬ２となっている。
【００３２】
また、図２に示されるように、炭素繊維強化樹脂材料（ＣＦＲＰ）で成形されたインナ部材２２及びアウタ部材３２の炭素繊維Ｆの配向は、それぞれインナ部材２２及びアウタ部材３２の延在方向（長手方向、車幅方向）に沿っている。これにより、インナ部材２２及びアウタ部材３２の延在方向に沿った引張変形（引張力）に対する強度（耐力）が向上される構成になっている。なお、中板１８における炭素繊維Ｆの配向は、その延在方向（長手方向、車幅方向）に沿っていなくてもよいが、沿っている方が望ましい。
【００３３】
以上のような構成とされたフロントバンパリインフォースメント２０（車体前部構造１０）において、次にその作用について説明する。
【００３４】
図１に示されるように、車両（車体）の車幅方向略中央部が円柱状のポールＰに衝突すると、フロントバンパリインフォースメント２０の車幅方向略中央部に局所的に過大な衝突荷重が入力され、その車幅方向略中央部が車体後方側へ折れ曲がり変形される。すなわち、フロントバンパリインフォースメント２０の車幅方向略中央部（屈曲部１６よりも車幅方向内側）におけるアウタ部材本体３４が、その延在方向に沿って圧縮変形されるとともに、インナ部材本体２４が、その延在方向に沿って引張変形される。
【００３５】
そして、フロントバンパリインフォースメント２０は、各クラッシュボックス１４を介して左右一対のフロントサイドメンバ１２に支持されていることから、フロントバンパリインフォースメント２０の車幅方向外側端部（屈曲部１６よりも車幅方向外側）におけるインナ部材本体２４が、その延在方向に沿って圧縮変形されるとともに、アウタ部材本体３４が、その延在方向に沿って引張変形される。
【００３６】
ここで、フロントバンパリインフォースメント２０のインナ部材２２及びアウタ部材３２は、それぞれ炭素繊維強化樹脂材料（ＣＦＲＰ）で成形されていることから、引張変形（引張力）に対する強度（耐力）が圧縮変形（圧縮力）に対する強度（耐力）よりも高い。しかも、インナ部材２２及びアウタ部材３２における炭素繊維Ｆの配向は、それぞれインナ部材２２及びアウタ部材３２の延在方向に沿っている。
【００３７】
したがって、フロントバンパリインフォースメント２０において、引張変形側の面積を圧縮変形側の面積よりも増加させれば、効率よくエネルギー吸収することができ、フロントバンパリインフォースメント２０の折れ曲がり変形を効果的に抑制することができる。よって、本実施形態に係るフロントバンパリインフォースメント２０は、上記構成とされている。
【００３８】
すなわち、フロントバンパリインフォースメント２０の車幅方向略中央部（屈曲部１６よりも車幅方向内側）において、インナ部材本体２４（インナ部材２２）の上壁２６及び下壁２８の長さＬ１は、アウタ部材本体３４（アウタ部材３２）の上壁３６及び下壁３８の長さＬ３よりも長くされている。
【００３９】
つまり、図３（Ａ）に示されるように、フロントバンパリインフォースメント２０の車幅方向略中央部（屈曲部１６よりも車幅方向内側）における中板１８は、中立軸Ｎ（圧縮変形と引張変形の境界部分）よりも車体前方側に配置され、インナ部材本体２４の後壁３０は、中立軸Ｎよりも車体後方側へ離れた位置に配置されている。これにより、フロントバンパリインフォースメント２０の車幅方向略中央部（屈曲部１６よりも車幅方向内側）では、中立軸Ｎよりも車体後方側の面積が車体前方側の面積よりも増加されている。
【００４０】
一方、フロントバンパリインフォースメント２０の車幅方向外側端部（屈曲部１６よりも車幅方向外側）において、アウタ部材本体３４（アウタ部材３２）の上壁３６及び下壁３８の長さＬ４は、インナ部材本体２４（インナ部材２２）の上壁２６及び下壁２８の長さＬ２と同じか、それよりも長くされている。
【００４１】
つまり、図３（Ｂ）に示されるように、フロントバンパリインフォースメント２０の車幅方向外側端部（屈曲部１６よりも車幅方向外側）における中板１８は、中立軸Ｎに配置されるか、それよりも車体後方側に配置されている。これにより、フロントバンパリインフォースメント２０の車幅方向外側端部（屈曲部１６よりも車幅方向外側）では、中立軸Ｎよりも車体前方側の面積が車体後方側の面積と同じか、それよりも増加されている。
【００４２】
したがって、フロントバンパリインフォースメント２０の車幅方向略中央部（屈曲部１６よりも車幅方向内側）及び車幅方向外側端部（屈曲部１６よりも車幅方向外側）において、インナ部材本体２４（インナ部材２２）及びアウタ部材本体３４（アウタ部材３２）の引張変形（引張力）に対する強度（耐力）を効率よく向上させることができる。
【００４３】
そして、中板１８により、インナ部材本体２４（インナ部材２２）及びアウタ部材本体３４（アウタ部材３２）の圧縮変形（圧縮力）に対する強度（耐力）も向上させることができる。よって、局所的に入力された衝突荷重によるフロントバンパリインフォースメント２０の車体後方側への折れ曲がり変形を効果的に抑制することができ、結果的に車室の変形を抑制又は防止することができる。
【００４４】
また、本実施形態に係るフロントバンパリインフォースメント２０（インナ部材２２、アウタ部材３２、中板１８）は、炭素繊維強化樹脂材料（ＣＦＲＰ）で成形されていることから、金属材料で成形されているフロントバンパリインフォースメント（図示省略）に比べて軽量化することができる。
【００４５】
具体的には、鉄製のフロントバンパリインフォースメントと同強度とされたフロントバンパリインフォースメント２０の場合、その重量を鉄製のフロントバンパリインフォースメントの半分以下にすることができる。したがって、フロントバンパリインフォースメント２０の高強度化と軽量化とを両立することができ、車体（車両）を組み立てるときの作業性の向上や燃費の向上も図ることができる。
【００４６】
また、本実施形態に係るフロントバンパリインフォースメント２０には、従来技術のような補強部材を別途設ける必要がないので、フロントバンパリインフォースメント２０に対して、補強部材の組付不良が発生したり、補強部材を設けたことによる重量の増加が発生したりすることがない。したがって、軽量化されたフロントバンパリインフォースメント２０を効率よく製造することができる。
【００４７】
なお、図４に示されるように、フロントバンパリインフォースメント２０において、中板１８を省略するようにしてもよい。すなわち、インナ部材２２の上フランジ部２６Ａ及び下フランジ部２８Ａが、それぞれアウタ部材３２の上フランジ部３６Ａ及び下フランジ部３８Ａに接着剤によって直接接合されていてもよい。
【００４８】
このような構成とされたフロントバンパリインフォースメント２０でも、上記と同等の作用効果を奏するが、中板１８が設けられていた方が、フロントバンパリインフォースメント２０の圧縮変形（圧縮力）に対する強度（耐力）をより向上させることができるメリットがある。
【００４９】
また、図５（Ａ）に示されるように、フロントバンパリインフォースメント２０において、インナ部材２２の屈曲部１６よりも車幅方向外側のインナ部材本体２４が平板状になるように形成してもよい。すなわち、図５（Ａ）に示されるフロントバンパリインフォースメント２０では、インナ部材２２の屈曲部１６よりも車幅方向外側には、上壁２６及び下壁２８がなく、後壁３０のみが形成されている。
【００５０】
換言すれば、車幅方向内側から車幅方向外側へ向けて徐々に長さＬ１が小さくされて、屈曲部１６よりも車幅方向外側の長さＬ２が後壁３０の板厚と同等とされている。したがって、図５（Ｃ）に示されるように、屈曲部１６よりも車幅方向外側において、後壁３０の上端部及び下端部が、インナ部材２２の上フランジ部２６Ａ及び下フランジ部２８Ａに相当するようになっている。
【００５１】
また、図５（Ａ）に示されるフロントバンパリインフォースメント２０では、アウタ部材３２の屈曲部１６よりも車幅方向内側のアウタ部材本体３４が、その車幅方向内側に行くに従って平板状になるように形成されている。つまり、アウタ部材３２の屈曲部１６よりも車幅方向内側である車幅方向中央部側には、上壁３６及び下壁３８がなく、前壁４０のみが形成されている。
【００５２】
換言すれば、車幅方向外側から車幅方向内側へ向けて徐々に長さＬ４が小さくされて、車幅方向中央部側の長さＬ３が前壁４０の板厚と同等とされている。したがって、図５（Ｂ）に示されるように、屈曲部１６よりも車幅方向内側である車幅方向中央部側において、前壁４０の上端部及び下端部が、アウタ部材３２の上フランジ部３６Ａ及び下フランジ部３８Ａに相当するようになっている。
【００５３】
そして、図５に示されるフロントバンパリインフォースメント２０でも、中板１８が省略されている。すなわち、インナ部材２２の上フランジ部２６Ａ及び下フランジ部２８Ａが、それぞれアウタ部材３２の上フランジ部３６Ａ及び下フランジ部３８Ａに接着剤によって直接接合されている。なお、図５に示されるフロントバンパリインフォースメント２０において、中板１８を設ける構成にしてもよい。
【００５４】
このような構成とされたフロントバンパリインフォースメント２０でも、上記と同等の作用効果を奏するが、図５に示されるフロントバンパリインフォースメント２０の方が、図１〜図４に示されるフロントバンパリインフォースメント２０よりも、引張変形（引張力）に対する強度（耐力）を更に効率よく向上させることができる。よって、局所的に入力された衝突荷重によるフロントバンパリインフォースメント２０の車体後方側への折れ曲がり変形をより効果的に抑制することができる。
【００５５】
以上、本実施形態に係るフロントバンパリインフォースメント２０及び車体前部構造１０について、図面を基に説明したが、本実施形態に係るフロントバンパリインフォースメント２０及び車体前部構造１０は、図示のものに限定されるものではなく、本発明の要旨を逸脱しない範囲内において、適宜設計変更可能なものである。例えば、インナ部材２２と中板１８とアウタ部材３２との接合手段は、接着剤に限定されるものではなく、リベット等で接合するようにしてもよい。
【００５６】
また、フロントバンパリインフォースメント２０は、炭素繊維強化樹脂材料（ＣＦＲＰ）で成形されるものに限定されるものではなく、その繊維Ｆの配向も車幅方向（長手方向）に限定されるものではない。すなわち、フロントバンパリインフォースメント２０は、炭素以外の繊維強化樹脂材料（ＦＲＰ）で成形されてもよいし、それ以外の材料で成形されてもよい。
【００５７】
例えば、フロントバンパリインフォースメント２０は、金属材料で成形されていてもよく、その場合は、インナ部材２２と中板１８とアウタ部材３２とを溶接によって接合するようにしてもよい。また、本実施形態では、フロントバンパリインフォースメント２０について説明したが、リアバンパリインフォースメント（図示省略）についても同様である。
【符号の説明】
【００５８】
１０  車体前部構造
１２  フロントサイドメンバ
１８  中板
２０  フロントバンパリインフォースメント（バンパリインフォースメント）
２２  インナ部材
３２  アウタ部材
【図１】
2015123886.tif 000003
【図２】
2015123886.tif 000004
【図３】
2015123886.tif 000005
【図４】
2015123886.tif 000006
【図５】
2015123886.tif 000007